(57)【要約】【課題】鉄塔建替工事において、作業者の能力差による計測精度のばらつきを無くし、新設基礎材の据付位置計測を簡易かつ正確に行うことができる。【解決手段】治具本体２と、治具本体２の中心に配設され、新設基礎材である主脚材２０の外周頂部に水平となるように取り付けられる取付部３と、を有する。取付部３は、主脚材２０に対して治具本体２の中心が主脚材２０の外周頂部に位置するように取り付けられる。そして、本点杭Ｐからトランシット等によって、計測用治具１の治具本体２の両端部２ａ，２ｂまでの距離を測ると共に、本点杭Ｐと治具本体２の両端部２ａ，２ｂ間の角度θ2を求めることで、新設する主脚材２０の据付位置を特定できる。よって、作業者の能力差による計測精度のばらつきを無くし、新設基礎材の据付位置計測を簡易かつ正確に行うことができる。【選択図】図１
2016191612.tif 000002
【特許請求の範囲】
【請求項１】
鉄塔を新設する鉄塔建替工事の際に前記鉄塔を構成する基礎材の据付位置を計測するための計測用治具であって、
治具本体と、
前記治具本体の中心に配設され、前記治具本体が水平となるように前記基礎材の外周頂部に取り付けられる取付部と、を有し、
前記取付部は、前記基礎材に対して前記治具本体の中心が前記外周頂部に位置するように取り付けられることを特徴とする計測用治具。
【請求項２】
前記取付部は、前記基礎材の外周に沿って屈曲または湾曲した曲げ形状をなしており、その屈曲部分または湾曲部分を中心として、当該取付部の両辺と前記治具本体とのなす取付角度が対称となるように、前記治具本体に固定されている
ことを特徴とする請求項１に記載の計測用治具。
【請求項３】
前記取付部は、前記基礎材に対し、ボルトを介して取り付けられることを特徴とする請求項１または２に記載の計測用治具。
【請求項４】
前記取付部は、前記基礎材に対し、磁力を介して取り付けられることを特徴とする請求項１または２に記載の計測用治具。
【発明の詳細な説明】
【技術分野】
【０００１】
本発明は、鉄塔を新設する鉄塔建替工事の際に鉄塔を構成する基礎材の据付位置を計測するための計測用治具に関する。
【背景技術】
【０００２】
鉄塔の基礎材である主脚材は、掘削穴の設計値深さまでコンクリートを打設することにより整地された掘削穴の底部に据付架台（ブロック）を正確に配置した後、この据付架台上に数ミリメートルのオーダーで正確に配置しなければならない。一般には、図５（ａ）に示すように、掘削穴１１の底部の所定位置に据付架台１２を正確に配置した後、下端にアンカー材１３が取り付けられた主脚材１０を据付架台１２の上に降ろし、主脚材１０の頂部付近に２つの支持材１６を直角に配置する。そして、主脚材１０のボルト穴を利用して支持材１６を取り付けると共に、主脚材１０の下端を据付架台１２の所定位置に配置する。そして、主脚材１０の頂部を対角水糸の方向と高さに合わせ、所定の位置になったときに支持材１６の根元に杭１７，１８を打ち込み仮止めする。主脚材１０の下端は、丸太１４ａ，１４ｂを用いて掘削穴に仮止めする。そして、鉄塔の転び寸法、脚の向きおよび高さなど精密に測定する作業が行われる。
【０００３】
鉄塔の転び寸法の精密測定は、図５（ｂ）に示すように、主脚材１０の頂部から下振１９を下げ、主脚材１０の下端の切口内側に折尺または板定規（図示せず）を当てて、下振１９が所定の寸法および方向に合致するまで主脚材１０を移動させることにより行われる。
【０００４】
鉄塔の脚の向きの精密測定は、図５（ｃ）に示すように、主脚材１０の頂部の両端部に折尺４を当て、塔心を通過する対角水糸が折尺４の中央と主脚材１０の角部を通過するように（すなわち、図示でＬ1＝Ｌ2となるように）、主脚材１０の方向を調節することにより行われる。
【先行技術文献】
【特許文献】
【０００５】
【特許文献１】特開平６−２４１８０６号公報
【発明の概要】
【発明が解決しようとする課題】
【０００６】
ところで、鉄塔建替工事において、用地等の事情により建替位置が元位置になることがあり、既設の鉄塔を新設基礎工事着工前に撤去されていない場合、例えば図６に示すように、鉄塔中心に位置する本点杭Ｐから見ると、既設鉄塔部材としての主脚材１０が障害物となり、新設鉄塔の主脚材２０を直接見通すことができないという課題があった。
【０００７】
そのため、本点杭Ｐからの距離を計測する際には、トランシット３０を鉄塔中心以外へ据え替える等の手間が掛り、計測作業が煩雑になることがあった。また、このような計測作業は熟練を要するため、測定者（作業者）の能力によって、計測制度に若干のばらつきが生じることもある。
【０００８】
そこで、本発明は、上述した事情に鑑みてなされたもので、その目的は、鉄塔建替工事において、作業者の能力差による計測精度のばらつきを無くし、新設基礎材の据付位置計測を簡易かつ正確に行うことができるようにすることにある。
【課題を解決するための手段】
【０００９】
上記目的を達成するため、本発明に係る計測用治具は、
鉄塔を新設する鉄塔建替工事の際に前記鉄塔を構成する基礎材の据付位置を計測するための計測用治具であって、
治具本体と、
前記治具本体の中心に配設され、前記治具本体が水平となるように前記基礎材の外周頂部に取り付けられる取付部と、を有し、
前記取付部は、前記基礎材に対して前記治具本体の中心が前記外周頂部に位置するように取り付けられることを特徴とする。
【００１０】
本発明によれば、治具本体の中心に、基礎材の外周頂部に治具本体が水平となるように取り付けられる取付部を配設し、この取付部が基礎材に対して治具本体の中心を外周頂部に位置するように取り付けられるので、本点杭からトランシット等によって、治具本体の両端部までの距離を測ると共に、本点杭と治具本体の両端部間の角度を求めることで、新設する基礎材の据付位置を容易に特定できる。これにより、鉄塔建替工事において、作業者の能力差による計測精度のばらつきを無くし、新設基礎材の据付位置計測を簡易かつ正確に行うことができる。
【００１１】
また、前記計測用治具において、
前記取付部は、前記基礎材の外周に沿って屈曲または湾曲した曲げ形状をなしており、その屈曲部分または湾曲部分を中心として、当該取付部の両辺と前記治具本体とのなす取付角度が対称となるように、前記治具本体に固定されていることが好ましい。
これによれば、取付部が屈曲または湾曲している部分を中心として、当該取付部の両端部と治具本体とのなす取付角度が対称となるように、治具本体に固定されているので、基礎材の外周に取り付けるだけの簡単な作業で、取付部を基礎材に対して治具本体の中心が外周頂部に位置するように取り付けることができる。
【００１２】
このとき、前記取付部は、前記基礎材に対し、ボルトを介して取り付けられることとしてもよい。
これによれば、計測用治具は、取付部が基礎材に対し、ボルトを介して取り付けられるので、測定対象としての基礎材に対して容易に着脱できる。
【００１３】
さらに、前記取付部は、前記基礎材に対し、磁力を介して取り付けられることが好ましい。
これによれば、計測用治具は、取付部が基礎材に対し、マグネットや磁石などの磁力を介して取り付けられるので、測定対象としての基礎材に対する着脱を一段と容易にできる。
【発明の効果】
【００１４】
本発明によれば、鉄塔建替工事において、作業者の能力差による計測精度のばらつきを無くし、新設基礎材の据付位置計測を簡易かつ正確に行うことができる。
【図面の簡単な説明】
【００１５】
【図１】本発明に係る計測用治具を用いた鉄塔建替工事の説明に供する図である。
【図２】本発明の一実施形態に係る計測用治具を概略的に示す斜視図である。
【図３】図２の計測用治具を用いた計測作業の説明に供する図である。
【図４】本点杭の位置から見た主脚材を概略的に示す説明図である。
【図５】鉄塔の基礎に主脚材を据え付ける方法および主脚材の転び寸法、脚の向きなどの配置を測定する従来の方法を示す説明図である。
【図６】従来の鉄塔建替工事の説明に供する図である。
【発明を実施するための形態】
【００１６】
以下、本発明の一実施形態に係る計測用治具について図面を参照しながら説明する。なお、本発明は、請求の範囲および明細書全体から読み取ることのできる発明の要旨または思想に反しない範囲で適宜変更可能であり、そのような変更を伴う計測用治具もまた本発明の技術思想に含まれる。
【００１７】
図１および図２に示すように、本実施形態の計測用治具１は、鉄塔を新設する鉄塔建替工事の際に鉄塔を構成する基礎材としての主脚材２０の据付位置を計測するための計測用治具１である。具体的に、かかる計測用治具１は、治具本体２と、治具本体２の中心に配設され、主脚材２０の外周頂部に治具本体２が水平となるように取り付けられる取付部３と、を有している。そして、取付部３は、主脚材２０に対して治具本体２の中心が外周頂部に位置するように取り付けられるようになっている。
【００１８】
このとき、図３に示すように、取付部３は、その一方の辺３１と他方の辺３２の両辺と、治具本体２とのなす取付角度θ1がそれぞれ対称（この場合、例えば４５°）となるように、治具本体２の中心に固定されている。換言すれば、二等辺三角形の等しい二辺を構成する取付部３の一方の辺３１と他方の辺３２は、それぞれ治具本体２に対する取付角度θ1が等しくなるように、その頂点を治具本体２の中心に対して固定されている。
【００１９】
また、取付部３の一方の辺３１と他方の辺３２とには、それぞれ等位置に孔３ａが複数穿設されており、この孔３ａを介して挿通されるボルト（図示省略）によって、新設する基礎材としての主脚材２０に対して着脱自在に取り付けられるようになっている。なお、計測用治具１（取付部３）の主脚材２０に対する取り付け方はこれに限らず、例えば磁石やマグネット等の磁力を用いて取り付けるようにしても良い。この場合、ボルト締結等の作業を省くことができるので、計測用治具１を主脚材２０に対し、より一段と容易に着脱可能とすることができる。
【００２０】
以上、説明したように、本実施形態の計測用治具１は、鉄塔を新設する鉄塔建替工事の際に鉄塔を構成する基礎材としての主脚材２０の据付位置を計測するための計測用治具１であって、治具本体２と、治具本体２の中心に配設され、主脚材２０の外周頂部に治具本体２が水平となるように取り付けられる取付部３と、を有し、取付部３は、主脚材２０に対して治具本体２の中心が外周頂部に位置するように取り付けられる。
【００２１】
かかる計測用治具１によれば、図１および図４に示すように、本点杭Ｐに設置されたトランシット（不図示）によって、治具本体２の両端部２ａ，２ｂまでの距離を測ると共に、本点杭Ｐと治具本体２の両端部２ａ，２ｂ間の角度θ2を求めることで、新設する主脚材２０の据付位置を簡単に高精度で特定できる。よって、鉄塔建替工事において、作業者の能力差による計測精度のばらつきを無くし、新設する主脚材２０の据付位置計測を簡易かつ正確に行うことができる。また、作業者の能力差による計測精度のばらつきを無くすことができる分、人件費を抑制でき、計測作業が簡易かつ正確となる分、労働負荷を低減して業務の効率化を図ることができる。
【００２２】
なお、本点杭Ｐと治具本体２の両端部２ａ，２ｂまでの距離の測定や、本点杭Ｐと治具本体２の両端部２ａ，２ｂ間の角度θ2の測定については、トランシットを用いる方法に限ることはない。要は、本点杭Ｐと治具本体２の両端部２ａ，２ｂまでの距離と、本点杭Ｐと治具本体２の両端部２ａ，２ｂ間の角度θ2が測定可能であれば、この他、例えば糸等を用いて直接測定するようにしても良い。
【００２３】
また、計測用治具１において、取付部３は、主脚材２０の外周に沿って屈曲または湾曲した曲げ形状をなしており、その屈曲部分または湾曲部分を中心として、当該取付部３の両辺３１，３２と治具本体２とのなす取付角度θ1が対称となるように、治具本体２に固定されているので、主脚材２０の外周に取り付けるだけの簡単な作業で、取付部３を主脚材２０に対して治具本体２の中心が外周頂部に位置するように取り付けることができる。
【００２４】
このとき、取付部３は、主脚材２０に対し、ボルトを介して取り付けられることとしてもよい。この場合、計測用治具１は、取付部３が主脚材２０に対してボルトを介して取り付けられるので、測定対象としての主脚材２０に対して容易に着脱できる。
【００２５】
さらに、取付部３は、主脚材２０に対し、磁力を介して取り付けられることとしても良い。この場合、計測用治具１は、取付部３が主脚材２０に対してマグネットや磁石などの磁力を介して取り付けられるので、測定対象としての主脚材２０に対する着脱を一段と容易にできる。
【００２６】
以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。
【符号の説明】
【００２７】
１  計測用治具
２  治具本体
２ａ，２ｂ  両端部
３  取付部
３ａ  孔
３１  一方の辺
３２  他方の辺
１０  主脚材（既設基礎材）
２０  主脚材（新設基礎材）
θ1  取付角度（取付部の両辺と治具本体とのなす角度）
θ2  角度（本点杭と治具本体の両端部間の角度）
Ｐ  本点杭（鉄塔中心に位置する杭）
【図１】
2016191612.tif 000003
【図２】
2016191612.tif 000004
【図３】
2016191612.tif 000005
【図４】
2016191612.tif 000006
【図５】
2016191612.tif 000007
【図６】
2016191612.tif 000008